(57)【要約】【課題】  埋め込み装置を含む送出システム構成を最適化することにより、透かし等の埋め込み情報の欠落を防止可能な送出システムを提供すること。【解決手段】  １系放送送出系２００−１、２系放送送出系２００−２は、素材切換機２０２−１、２０２−２、データ多重化装置２０３−１、２０３−２、圧縮装置２０４−１、２０４−２、多重化装置２０５−１、２０５−２等を備える。情報埋め込み装置１０４−１、１０４−２を各内部装置間のいずれかの位置に備える（例、図中、（１）、（２）、（３）、（４）の位置等）。情報埋め込み装置１０４の設置場所の候補として、圧縮装置２０４より前段且つ素材切換機２０２より後段（（２）または、（３））が最適と言える。【選択図】図２
2010171870.tif 000002
【特許請求の範囲】
【請求項１】
複数の放送局設備と、複数の調査世帯装置と、前記複数の調査世帯装置から視聴データを収集する収集設備とを備えた視聴データシステムにおける、前記放送局設備であって、
放送素材を出力する素材系機器と、
前記素材系機器から出力された放送素材に局データ及び／又はサービスコードを埋め込むための第１の埋め込み装置を含む第１の系と、
前記素材系機器から出力された放送素材に局データ及び／又はサービスコードを埋め込むための第２の埋め込み装置を含む第２の系と、
前記第１の系または前記第２の系のいずれかの出力を切り替え選択する現用予備切替装置と、
前記現用予備切替装置の出力を放送するための送信設備と、
前記第１の系に含まれる少なくとも前記第１の埋め込み装置、及び、前記第２の系に含まれる少なくとも前記第２の埋め込み装置から、それぞれの障害を検出した情報であるアラーム情報を入力し、系の現用／予備状態を示す現用予備情報を出力し、前記現用予備切替装置により前記第１の系又は前記第２の系のいずれかに切り替えるアラーム収集装置と、
を備え、
（１）障害発生又は現用系の前記第１又は第２の埋め込み装置による障害検出から、前記アラーム収集装置が、前記第１の埋め込み装置又は第２の埋め込み装置から出力されるアラーム情報に従い、前記現用予備切替装置により現用予備の系を切替えるまでの遅延よりも、障害発生又は現用系の前記第１又は第２の埋め込み装置による障害検出から、放送の本線信号が前記現用予備切替装置へ至るまでの遅延の方が大きくなるような位置に、前記第１の系及び前記第２の系内にそれぞれ前記第１の埋め込み装置又は第２の埋め込み装置を設置することにより、又は、
（２）現用系の前記第１又は第２の埋め込み装置の障害の検出に従い前記アラーム収集装置が前記現用予備切替装置により系を切替える時刻が、放送の本線信号が前記第１又は第２の系で遅延されて前記現用予備切替装置に到達する時刻より、前であるような位置に、前記第１の系及び前記第２の系内にそれぞれ前記第１の埋め込み装置又は第２の埋め込み装置を設置することにより、
障害が発生してシステムが切り替えられても埋め込み情報の欠落を防止することを特徴とする前記放送局設備。
【請求項２】
前記第１の系及び前記第２の系はそれぞれ、
放送素材の選択切換を行い出力する第１及び第２の素材切換機と、
映像及び／又は音声信号を圧縮してデータストリームに変換する第１及び第２の圧縮装置と、
を備え、
前記第１の埋め込み装置又は第２の埋め込み装置を、それぞれ、前記第１及び第２の素材切替機の後段且つ前記第１及び第２の圧縮装置の前段に設置することを特徴とする請求項１に記載の放送局設備。
【請求項３】
前記第１及び第２の素材切替機の後段且つ前記第１及び第２の圧縮装置の前段に、字幕信号及び／又は放送局間制御信号及び／又はＣＭ確認データを多重化するための第１又は第２のデータ多重化装置をさらに備え、
前記第１の埋め込み装置又は第２の埋め込み装置を、前記第１及び第２の素材切替機と前記第１及び第２のデータ多重化装置の間、または、前記第１及び第２の圧縮装置と前記第１及び第２のデータ多重化装置の間に設置することを特徴とする請求項１の放送局設備。
【請求項４】
前記第１及び第２の圧縮装置から出力された放送信号に、データ放送などのデータストリームを多重化する第１及び第２の多重化装置をさらに備えたことを特徴とする請求項２又は３に記載の放送局設備。
【請求項５】
複数の放送局設備と、複数の調査世帯装置と、前記複数の調査世帯装置から視聴データを収集する収集設備とを備えた視聴データシステムにおいて、
放送素材を出力する素材系機器と、
前記素材系機器から出力された放送素材に局データ及び／又はサービスコードを埋め込むための第１の埋め込み装置を含む第１の系と、
前記素材系機器から出力された放送素材に局データ及び／又はサービスコードを埋め込むための第２の埋め込み装置を含む第２の系と、
前記第１の系または前記第２の系のいずれかの出力を切り替え選択する現用予備切替装置と、
前記現用予備切替装置の出力を放送するための送信設備と、
前記第１の系に含まれる少なくとも前記第１の埋め込み装置、及び、前記第２の系に含まれる少なくとも前記第２の埋め込み装置から、それぞれの障害を検出した情報であるアラーム情報を入力し、系の現用／予備状態を示す現用予備情報を出力し、前記現用予備切替装置により前記第１の系又は前記第２の系のいずれかに切り替えるアラーム収集装置と、
を備えた前記放送局設備における情報埋め込み方法であって、
（１）障害発生又は現用系の前記第１又は第２の埋め込み装置による障害検出から、前記アラーム収集装置が、前記第１の埋め込み装置又は第２の埋め込み装置から出力されるアラーム情報に従い、前記現用予備切替装置により現用予備の系を切替えるまでの遅延よりも、障害発生又は現用系の前記第１又は第２の埋め込み装置による障害検出から、放送の本線信号が前記現用予備切替装置へ至るまでの遅延の方が大きくなるような位置で、前記第１の系及び前記第２の系内のそれぞれ前記第１の埋め込み装置又は第２の埋め込み装置により、情報を埋め込むことで、又は、
（２）現用系の前記第１又は第２の埋め込み装置の障害の検出に従い前記アラーム収集装置が前記現用予備切替装置により系を切替える時刻が、放送の本線信号が前記第１又は第２の系で遅延されて前記現用予備切替装置に到達する時刻より、前であるような位置で、前記第１の系及び前記第２の系内のそれぞれ前記第１の埋め込み装置又は第２の埋め込み装置により、情報を埋め込むことで、
障害が発生してシステムが切り替えられても埋め込み情報の欠落を防止することを特徴とする前記情報埋め込み方法。
【請求項６】
前記第１の系及び前記第２の系はそれぞれ、
放送素材の選択切換を行い出力する第１及び第２の素材切換機と、
映像及び／又は音声信号を圧縮してデータストリームに変換する第１及び第２の圧縮装置と、
を備え、
前記第１の埋め込み装置又は第２の埋め込み装置により、それぞれ、前記第１及び第２の素材切替機の後段且つ前記第１及び第２の圧縮装置の前段で、情報を埋め込むことを特徴とする請求項５に記載の情報埋め込み方法。
【請求項７】
前記第１及び第２の素材切替機の後段且つ前記第１及び第２の圧縮装置の前段に、字幕信号及び／又は音声信号を多重化するための第１又は第２のデータ多重化装置をさらに備え、
前記第１の埋め込み装置又は第２の埋め込み装置により、前記第１及び第２の素材切替機と前記第１及び第２のデータ多重化装置の間、または、前記第１及び第２の圧縮装置と前記第１及び第２のデータ多重化装置の間で、情報を埋め込むことを特徴とする請求項５に記載の情報埋め込み方法。
【発明の詳細な説明】
【技術分野】
【０００１】
本発明は、放送局設備及び情報埋め込み方法に係り、特に、視聴率・聴取率・メディア接触率等の調査を実施するための調査システムに利用可能な放送局設備及び情報埋め込み方法に関する。
【背景技術】
【０００２】
従来、テレビ視聴率やラジオ聴取率測定の手法のひとつに放送識別（ＩＤ）信号を利用するシステムが提案されている（例えば、特許文献１、特許文献２参照。）。放送ＩＤ信号とは、放送局を識別するための放送局毎にユニークに割り付けられた信号で、時刻データなども含むことができる。
このシステムでは、放送局側に放送ＩＤ信号を放送信号に重畳するための放送ＩＤ重畳装置を設け、オーディオ信号周波数帯域内で放送識別（ＩＤ）信号を構成し、これを放送番組のオーディオ信号に重畳する。その一方で、受信側では、調査対象者に、マイクロフォンを有する放送ＩＤ解読装置を常時携帯させるようにする。調査対象者は、１日の生活の全ての又は起きてる時間、この放送ＩＤ解読装置を携帯する。そして、調査対象者が接触する全ての周囲音の中から、もし放送ＩＤ番号が解読された場合は、装置内部のメモリーにその事実を記録する。このような放送ＩＤ解読記録は、放送ＩＤコードとその解読時刻などを備え、別に用意した回収装置でその記録を調査会社が収集し、テレビ視聴率やラジオ聴取率が計算される。
また、放送波を常時監視することで、その監視結果を視聴率や聴取率集計に反映させるシステムが開示されている（例えば、特許文献３参照。）。
図７に、従来のメディア接触率調査システムの構成図を示す。
従来のメディア接触率調査システムは、例えば、モニタ施設１と、計算施設２と、調査対象者宅内装置３を備える。計算施設２は、例えば、コンピューター２１と、インターフェイス（Ｉ／Ｆ）２２及び２３と、記憶部２４を有する。
モニタ施設１は、放送の受信信号から放送識別信号を抽出し、放送識別信号の品位を示す品位データを作成して、出力する。計算施設２は、モニタ施設１から品位データをインターフェイス２３を経て入力し、調査対象者宅内装置３からインターフェイス２３を経て視聴率・聴取率に関するログデータを入力する。計算施設２のコンピューター２１は、受信したログデータに基づいて時間毎の視聴率・聴取率を求め、品位データに基づいて、正常に放送及び放送識別信号が受信されない時間を識別し、その時間に対応する作成された記憶部２４の視聴率・聴取率を補正して、視聴率・聴取率に関する集計データファイルに記憶し、出力する。
また、電子透かしを利用した視聴率測定システムは、特許文献４に開示された技術などにより既に提案されており、既に実用化されている。
【先行技術文献】
【特許文献】
【０００３】
【特許文献１】特開平１０−５００２６３号公報
【特許文献２】特開平０７−００７４８３号公報
【特許文献３】特開２００２−１８５４１６号公報
【特許文献４】特許第３８１０７９０号公報
【特許文献５】特開２００２−５１５６８４号公報
【発明の概要】
【発明が解決しようとする課題】
【０００４】
しかし、従来の視聴率測定システムでは、日々の運用で情報埋め込み装置の故障などが発生した際に、例え該当チャンネルを視聴していたとしてもデータの検出が出来ない場合があるため、正確な視聴データを提供することが出来ない場合がありうる。
このような課題に対しては、特許文献５などにより、電子透かしとシグネチャマッチングなどの方式を併用することにより、埋め込み・検出機能に障害が発生した場合でも、視聴チャンネルの特定を行う予備的手段を利用する方法が提案されている。
シグネチャマッチング方式によれば、電子透かしによる埋め込み情報の欠落を防ぐ手段が講じられていない場合には、完全なバックアップとは言えないもののバックアップとしての役割を満たす側面も存在する。しかし、シグネチャマッチング方式の場合、同一素材が複数の局から同時に放送されるケースでは、シグネチャマッチングだけでは、視聴チャンネルの特定が困難な場合があるため、予備的手段として不十分であることが推測できる。
電子透かしを利用した視聴率測定の場合、電子透かしによる埋め込み情報の欠落を防ぐ手段を講じることが重要である。
本発明は、以上の点に鑑み、埋め込み装置を含む送出システム構成を最適化することにより、透かし等の埋め込み情報の欠落を防止可能な送出システムを提供することを目的とする。
【課題を解決するための手段】
【０００５】
本発明の第１の解決手段によると、
複数の放送局設備と、複数の調査世帯装置と、前記複数の調査世帯装置から視聴データを収集する収集設備とを備えた視聴データシステムにおける、前記放送局設備であって、
放送素材を出力する素材系機器と、
前記素材系機器から出力された放送素材に局データ及び／又はサービスコードを埋め込むための第１の埋め込み装置を含む第１の系と、
前記素材系機器から出力された放送素材に局データ及び／又はサービスコードを埋め込むための第２の埋め込み装置を含む第２の系と、
前記第１の系または前記第２の系のいずれかの出力を切り替え選択する現用予備切替装置と、
前記現用予備切替装置の出力を放送するための送信設備と、
前記第１の系に含まれる少なくとも前記第１の埋め込み装置、及び、前記第２の系に含まれる少なくとも前記第２の埋め込み装置から、それぞれの障害を検出した情報であるアラーム情報を入力し、系の現用／予備状態を示す現用予備情報を出力し、前記現用予備切替装置により前記第１の系又は前記第２の系のいずれかに切り替えるアラーム収集装置と、
を備え、
（１）障害発生又は現用系の前記第１又は第２の埋め込み装置による障害検出から、前記アラーム収集装置が、前記第１の埋め込み装置又は第２の埋め込み装置から出力されるアラーム情報に従い、前記現用予備切替装置により現用予備の系を切替えるまでの遅延よりも、障害発生又は現用系の前記第１又は第２の埋め込み装置による障害検出から、放送の本線信号が前記現用予備切替装置へ至るまでの遅延の方が大きくなるような位置に、前記第１の系及び前記第２の系内にそれぞれ前記第１の埋め込み装置又は第２の埋め込み装置を設置することにより、又は、
（２）現用系の前記第１又は第２の埋め込み装置の障害の検出に従い前記アラーム収集装置が前記現用予備切替装置により系を切替える時刻が、放送の本線信号が前記第１又は第２の系で遅延されて前記現用予備切替装置に到達する時刻より、前であるような位置に、前記第１の系及び前記第２の系内にそれぞれ前記第１の埋め込み装置又は第２の埋め込み装置を設置することにより、
障害が発生してシステムが切り替えられても埋め込み情報の欠落を防止することを特徴とする前記放送局設備が提供される。
【０００６】
本発明の第２の解決手段によると、
複数の放送局設備と、複数の調査世帯装置と、前記複数の調査世帯装置から視聴データを収集する収集設備とを備えた視聴データシステムにおいて、
放送素材を出力する素材系機器と、
前記素材系機器から出力された放送素材に局データ及び／又はサービスコードを埋め込むための第１の埋め込み装置を含む第１の系と、
前記素材系機器から出力された放送素材に局データ及び／又はサービスコードを埋め込むための第２の埋め込み装置を含む第２の系と、
前記第１の系または前記第２の系のいずれかの出力を切り替え選択する現用予備切替装置と、
前記現用予備切替装置の出力を放送するための送信設備と、
前記第１の系に含まれる少なくとも前記第１の埋め込み装置、及び、前記第２の系に含まれる少なくとも前記第２の埋め込み装置から、それぞれの障害を検出した情報であるアラーム情報を入力し、系の現用／予備状態を示す現用予備情報を出力し、前記現用予備切替装置により前記第１の系又は前記第２の系のいずれかに切り替えるアラーム収集装置と、
を備えた前記放送局設備における情報埋め込み方法であって、
（１）障害発生又は現用系の前記第１又は第２の埋め込み装置による障害検出から、前記アラーム収集装置が、前記第１の埋め込み装置又は第２の埋め込み装置から出力されるアラーム情報に従い、前記現用予備切替装置により現用予備の系を切替えるまでの遅延よりも、障害発生又は現用系の前記第１又は第２の埋め込み装置による障害検出から、放送の本線信号が前記現用予備切替装置へ至るまでの遅延の方が大きくなるような位置で、前記第１の系及び前記第２の系内のそれぞれ前記第１の埋め込み装置又は第２の埋め込み装置により、情報を埋め込むことで、又は、
（２）現用系の前記第１又は第２の埋め込み装置の障害の検出に従い前記アラーム収集装置が前記現用予備切替装置により系を切替える時刻が、放送の本線信号が前記第１又は第２の系で遅延されて前記現用予備切替装置に到達する時刻より、前であるような位置で、前記第１の系及び前記第２の系内のそれぞれ前記第１の埋め込み装置又は第２の埋め込み装置により、情報を埋め込むことで、
障害が発生してシステムが切り替えられても埋め込み情報の欠落を防止することを特徴とする前記情報埋め込み方法が提供される。
【発明の効果】
【０００７】
本発明によると、埋め込み装置を含む送出システム構成を最適化することにより、透かし等の埋め込み情報の欠落を防止可能な送出システムを提供することができる。
【図面の簡単な説明】
【０００８】
【図１】電子透かしを利用した視聴率測定システムの構成図。
【図２】放送局送出設備における、地上デジタル放送設備の放送局系統の構成図。
【図３】データ多重化装置と圧縮装置の間（２）の位置に情報埋め込み装置を設置した場合の例の説明図。
【図４】素材切換機とデータ多重化装置の間（３）の位置に情報埋め込み装置を設置した場合の例の説明図。
【図５】情報埋め込み装置の構成図。
【図６】情報埋め込み装置から現用予備切替装置までの系統で発生する信号遅延の説明図。
【図７】従来のメディア接触率調査システムの構成図。
【発明を実施するための形態】
【０００９】
図１に、電子透かしを利用した視聴率測定システムの構成図の一例を示す。
本視聴率測定システムは、例えば、調査世帯装置１０１−１〜１０１−ｍと、放送局送出設備１０２−１〜１０２−ｎと、収集・集計設備１０３を備える。調査世帯装置１０１−１は、受信機１０５−１及び情報検出装置１０６−１を有する。また、他の調査世帯装置１０１も同様にそれぞれ受信機１０５及び情報検出装置１０６を有する。放送局送出設備１０２−１は、情報埋め込み装置１０４−１を有する。また、他の放送局送出設備１０２も同様にそれぞれ情報埋め込み装置１０４を有する。
この視聴率測定システムでは、放送局送出設備１０２−１〜１０２−ｎに、それぞれ、情報埋め込み装置１０４−１〜１０４−ｎを設置し、放送局・放送サービス・番組・時刻などを特定できる情報を埋め込み、送信設備を経由して放送する。調査世帯装置１０１−１〜１０１−ｍにおいては、それぞれ、受信機１０５−１〜１０５−ｍから出力される選局された放送内容を、各情報検出装置１０６−１〜１０６−ｍに入力し、埋め込まれた情報と検出された時刻を内部の記憶部に記録する。各調査世帯装置１０１−１〜１０１−ｍで記録されたデータは、視聴データとして収集・集計設備１０３に収集される。収集・集計設備１０３では、収集された視聴データを集計することにより視聴率データを求める。なお、埋め込み情報には、例えば、局コード、サービスコード等の適宜の視聴・聴取・メディア接触等の調査のための識別情報が含まれる。なお、サービスコードは、例えば、地上デジタル放送の場合、HD放送、SD放送１~３、1セグ放送等の各種の放送サービスのコードを示す。
【００１０】
図２に、放送局送出設備における、地上デジタル放送設備の放送局系統の構成図の一例を示す。
この図は、あくまでも一例であり、この系統上に表現されている機器に限定されるものではない。また、図示の例では、２重の系統を持ったシステムの場合を例にあげているが、３重化された系統を持つシステムについても応用可能である。
各放送局送出設備１０２−１〜１０２−ｎは、放送素材系機器２０１、１系放送送出系２００−１、２系放送送出系２００−２、現用予備切替装置２０６、送信設備２０７、アラーム収集装置２０９を備える。１系放送送出系２００−１、２系放送送出系２００−２は、それぞれ、例えば、素材切換機２０２−１、２０２−２、データ多重化装置２０３−１、２０３−２、圧縮装置２０４−１、２０４−２、多重化装置２０５−１、２０５−２等を備える。また、１系放送送出系２００−１、２系放送送出系２００−２は、それぞれ情報埋め込み装置１０４−１、１０４−２を各内部装置間のいずれかの位置に備える（例、図中、（１）、（２）、（３）、（４）のいずれかの位置等）。なお、１系放送送出系２００−１、２系放送送出系２００−２は、これに限らず、情報埋め込み装置１０４を含む適宜の構成とすることができる。
素材再生機やスタジオ生映像などの放送素材系機器２０１から出力された放送素材は、１系放送送出系２００−１と２系放送送出系２００−２のそれぞれにおいて、素材切換機２０２−１、２０２−２に入力される。素材切換機２０２−１、２０２−２は、放送スケジュールに基づき放送素材の選択切換を行い、データ多重化装置２０３−１、２０３−２に出力する。データ多重化装置２０３−１、２０３−２は、字幕信号、放送局間制御信号、ＣＭ確認データ等のデータを多重化し、圧縮装置２０４−１、２０４−２に出力する。圧縮装置２０４−１、２０４−２は、放送素材（信号）を、圧縮等により、データストリームに変換し、多重化装置２０５−１、２０５−２に出力する。多重化装置２０５−１、２０５−２は、放送素材やデータ放送などのデータストリームを多重化して、現用予備切替装置２０６に出力する。現用予備切替装置２０６は、２系統以上用意された冗長性を備えた放送送出系から１つ（この例では、１系及び２系放送送出系２００−１及び２００−２のいずれか）を選択し、送信設備２０７へ出力する。送信設備２０７は、信号に変調をかけた後、電波をアンテナ経由で送信する。
ここに示したように放送送出系上には複数の機器が存在する。例えばこれらの現用系の機器に故障が生じた場合、その情報を拾い上げ速やかに冗長系にシステムを切換えて放送信号への影響を抑制する必要がある。各機器・装置は、それぞれ障害の発生のときにアラーム情報を出力する。アラーム情報は、障害が発生した機器を識別するための情報である。
アラーム収集装置２０９は、放送送出系２００−１、２００−２上に存在する各機器から出力されるアラーム情報を一括収集する。また、アラーム収集装置２０９は、収集したアラーム情報に従い、現用／予備のシステム切換え操作を促す、または、自動でシステム切換え指示を出力するなど、適宜の方法で放送信号への影響を抑制する。
なお、送信設備２０７にも冗長性を持たせることが一般的だが、図２では省略しているので、冗長性を持たせるようにしてもよい。また、地上デジタル放送においては、ＳＤ割放送など、同時に複数の放送サービスを行うことも想定されており、素材切換機２０２−１、２０２−２から圧縮装置２０４−１、２０４−２までの機器を放送サービス毎に独立して用意し、多重化装置２０５−１、２０５−２で１つのストリームにまとめる構成にしてもよい。
【００１１】
情報埋め込み装置１０４−１、１０４−２は、放送送出系２００−１、２００−２上に設置することになる。情報埋め込み装置１０４−１、１０４−２は、例えば放送局コード及び／又はサービスコード等視聴率測定に必要となる情報（放送識別（ＩＤ）信号等）を放送素材に埋め込む。この埋め込みには、例えば、画像透かし技術、音声透かし技術等の適宜の埋め込み技術を用いることができる。また、情報埋め込み装置１０４−１、１０４−２から出力されるアラーム情報には、例えば、透かし埋め込みのためのデコーダであるローカルデコーダの障害及び出力信号（放送信号）の異常の両方の障害情報を含むことができる。
情報埋め込み装置１０４−１、１０４−２の機能として、自らの動作状況を監視する機能、及びその情報をアラーム収集装置２０９へ通知する機能を具備する。そして、情報埋め込み装置１０４−１、１０４−２は、障害が発生した場合にアラーム収集装置２０９に通知し、アラーム収集装置２０９が系の切換制御を行うための遅延時間を、情報埋め込み装置１０４の出力信号又は本線の放送信号が現用予備切替装置２０６に至るまでの遅延時間より短くなるような場所に、情報埋め込み装置１０４を設置することで、透かし埋め込み情報の欠落を防止することが可能となる。
【００１２】
図５に、情報埋め込み装置の構成図を示す。
この図は、自らの動作状況を監視する機能、及び、その情報をアラーム収集装置２０９へ通知する機能を具備した情報埋め込み装置１０４の構成例を示す。
情報埋め込み装置１０４は、例えば、インターフェース（ＩＦ）部４０１、４０３、４０４及び４１０と、情報埋め込み部４０２と、埋め込み情報監視部４０５と、出力信号監視部４０６と、入力信号監視部４０７と、電源監視部４０８と、動作状況判定部４０９を備える。
ＩＦ部４０１は、放送信号を入力するためのインターフェースであり、例えば、ＳＤＩ（Ｓｅｒｉａｌ  Ｄｉｇｉｔａｌ  Ｉｎｔｅｒｆａｃｅ）信号や、ＭＰＥＧ２＿ＴＳ（ＭＰＥＧ２＿Ｔｒａｎｓｐｏｒｔ  Ｓｔｒｅａｍ）信号などが入力されることが考えられる。情報埋め込み部４０２は、ＩＦ部４０４経由で入力される時刻情報や、放送局・放送サービス・番組などを特定可能な情報を受信して、映像及び／又は音声等の放送信号へ、データの埋め込みを行う。放送局・放送サービスを特定可能な情報は、埋め込み装置２０３を設置する系統ごとに予め決まるため、予め埋め込み装置２０３内部に保持できる仕組みを設けておけば、必ずしも埋め込み装置２０３のＩＦ部４０４経由で都度受信する必要はない。埋め込みが行われた信号は、ＩＦ部４０３から出力され後段の機器へ渡される。埋め込み情報監視部４０５は、データの埋め込みが正常に行われていることを確認する仕組みとして、調査世帯装置１０１に設置される情報検出装置１０６と同様の方法で検出する仕組みを具備している。埋め込み情報監視部４０５は、埋め込んだ内容は既知であるため、検出されたデータが完全に一致しない場合は、異常と判定し、動作状況判定部４０９へエラーを通知する。出力信号監視部４０６は、データ埋め込み前後の映像データ及び／又は音声データの差分信号をとり、その振幅が埋め込まれるデータの振幅以上の場合は、異常と判定し動作状況判定部４０９へエラーを通知する。なお、出力信号監視部４０６は、差分を取る際に、埋め込み処理に伴う遅延量にあわせて入力信号を遅延させる必要がある。入力信号監視部４０７は、情報埋め込み装置１０４に入力される信号の異常有無を監視する。具体的には、入力信号監視部４０７は、ＳＤＩ信号の場合、例えばその信号に付加されているＥＤＨ（Ｅｒｒｏｒ  Ｄｅｔｅｃｔｉｏｎ  ａｎｄ  Ｈａｎｄｌｉｎｇ）信号やＣＲＣ（Ｃｙｃｌｉｃａｌ  Ｒｅｄｕｎｄａｎｃｙ  Ｃｈｅｃｋ）信号を使用して、情報埋め込み装置１０４への入力までの伝送系統上でビットエラーが発生していないかをチェックし、エラーありの場合は、異常と判定し動作状況判定部４０９へエラーを通知する。電源監視部４０８は、情報埋め込み装置１０４に供給されるＡＣ電源電圧ならびに素子に供給されるＤＣ電源電圧を監視し、これらの電源電圧のいずれか又は両方が予め定められた閾値以下の場合異常と判定し、動作状況判定部４０９へエラーを通知する。動作状況判定部４０９は、埋め込み情報監視部４０５、出力信号監視部４０６、入力信号監視部４０７、電源監視部４０８の各監視部から通知されるエラー通知を受信し、どの監視部からのエラーであるかを示す識別情報とともに、情報埋め込み装置１０４に異常が発生していることを現用予備切換制御のためのアラーム情報として、ＩＦ部４１０を経由して外部（アラーム収集装置２０９）へ通知する。なお、動作状況判定部４０９は、例えば既にある障害が発生中の場合は、その後別の障害が発生したとしてもアラーム情報を改めて外部に通知を行わないように構成することができる。
【００１３】
情報埋め込み装置１０４から出力される障害情報に基づき、アラーム収集装置２０９が、現用予備切替装置２０６を制御してシステム切換が行われる。この際、障害発生から現用予備のシステム切換までの遅延（時間）又は情報埋め込み装置１０４による障害検出のアラーム情報出力から現用予備のシステム切換までの遅延（時間）よりも、情報埋め込み装置１０４の本線信号（放送信号）出力から現用予備切替え装置２０６へ至るまでの本線信号の遅延（時間）の方が大きくなるようなポイントに情報埋め込み装置１０４を設置する。これにより、たとえ障害が発生しても埋め込み情報の欠落を防止することができる。または、現用系の情報埋め込み装置１０４の障害の検出に従いアラーム収集装置２０９が現用予備切替装置２０６により系を切替える時刻が、放送の本線信号が放送送出系２００で遅延されて現用予備切替装置２０６に到達する時刻より、前であるような位置に、それぞれ埋め込み装置１０４を放送送出系２００内に設置することで、障害が発生してシステムが切り替えられても透かし埋め込み情報の欠落を防止することが可能になる。
各放送送出系２００が各装置を経て本線信号（放送信号）が出力されるまでの信号遅延は、例えば次の要因が考えられる。
・素材切換機２０２の遅延は、例えば、各放送素材を切り換える際の切換時間を含む。
・データ多重化装置２０３の遅延は、例えば、多重化する各字幕、音声等の多重化処理時間を含む。
・情報埋め込み装置１０４の遅延は、例えば、放送信号に埋め込みデータを挿入するための処理時間を含む。
・圧縮装置２０４の遅延は、例えば、ＭＰＥＧ２等の圧縮エンコーダ内の圧縮処理時間を含む。
・多重化装置２０５の遅延は、例えば、多重化する各データ放送等の多重化処理時間を含む。
・現用予備切替装置２０６の遅延は、例えば、系切替え処理の時間を含む。
【００１４】
例えば図２に上げた系統例において、情報埋め込み装置１０４の設置場所の候補としては、圧縮装置２０４と多重化装置２０５の間（１）、データ多重化装置２０３と圧縮装置２０４の間（２）、素材切換機２０２とデータ多重化装置２０３の間（３）、放送素材系機器２０１と素材切換機２０２の間（４）が上げられる。
（１）の場合、多重化装置２０５の遅延は、現在一般的に１００ｍｓ程度でありさほど大きくなく、適当ではない場合が多い。また、圧縮装置２０４から出力される映像信号・音声信号はそれぞれ圧縮されたストリームとなっているため、情報埋め込み装置１０４の仕様によっては、圧縮装置２０４の出力に情報を埋め込む際、一旦圧縮ストリームを復号化する必要が生じることもあり、情報埋め込み装置１０４内の遅延量が増大し、放送運用上好ましくない。
（２）の場合、圧縮装置２０４の遅延量は、現在一般的に５００ｍｓ以上であり、システム切換動作に比べて十分大きい場合が多いので、（２）以前のポイントに情報埋め込み装置１０４を設置することが望ましい。また、データ多重化装置２０３の遅延は、現在一般的に数十μｓ程度であり非常に小さく、また、素材切換機２０２の遅延も同様である。
一方、（４）に設置する場合、全ての再生機器出力段に情報埋め込み装置１０４を設置する必要があるため、膨大な数の情報埋め込み装置１０４が必要となり、システム構成の増大を招くため好ましくない。
以上より、情報埋め込み装置１０４の設置場所の候補として圧縮装置２０４より前段、且つ、素材切換機２０２より後段、即ち、（２）または、（３）が最適と言える。
例えば、図３に、（２）の位置に情報埋め込み装置１０４を設置した場合の例を示し、図４に、（３）の位置に情報埋め込み装置１０４を設置した場合の例を示す。
【００１５】
図６は、情報埋め込み装置から現用予備切替装置までの系統で発生する信号遅延を図示したものである。
この図では、一例として図３で示したようなシステム構成、すなわち、（２）の位置に情報埋め込み装置１０４が設置される場合について説明する。
本線信号（放送信号）は、情報埋め込み装置１０４内で情報埋め込み処理の遅延等、圧縮装置２０４内でＭＰＥＧ２エンコーダ内の遅延等、多重化装置２０５内で多重化処理の遅延等により、現用予備切替装置２０６に至るまでに遅延される（時間を要する）。一方、系切替えの制御信号については、情報埋め込み装置１０４内でエラー検出までの遅延等、アラーム収集装置２０９内でアラーム収集処理の遅延等、現用予備切替装置２０６内で現用予備切替えるまでの遅延等により、現用予備切替装置２０６による系切替えまで遅延される（時間を要する）。この例では、系切替えの後に本線信号が現用予備切替装置２０６に到達するため、予備系の情報埋め込み装置１０４が正常に機能するので、現用予備切替えの際の埋め込み情報の欠落を防止することができる。
【産業上の利用可能性】
【００１６】
本発明は、テレビ、パソコン、ラジオ、携帯機器等の視聴率・聴取率・メディア接触率等の様々な調査に適用することができる。
【符号の説明】
【００１７】
１０１  調査世帯装置
１０２  放送局送出設備
１０３  収集・集計設備
１０４  情報埋め込み装置
１０５  受信機
１０６  情報検出装置
２０１  放送素材系機器
２０２  素材切換機
２０３  データ多重化装置
２０４  圧縮装置
２０５  多重化装置
２０６  現用予備切替装置
２０７  送信設備
２０９  アラーム収集装置
４０１、４０３、４０４、４１０  インターフェース（ＩＦ）部
４０２  情報埋め込み部
４０５  埋め込み情報監視部
４０６  出力信号監視部
４０７  入力信号監視部
４０８  電源監視部
４０９  動作状況判定部
【図１】
2010171870.tif 000003
【図２】
2010171870.tif 000004
【図３】
2010171870.tif 000005
【図４】
2010171870.tif 000006
【図５】
2010171870.tif 000007
【図６】
2010171870.tif 000008
【図７】
2010171870.tif 000009